(57)【要約】      （修正有）【課題】人体の脛と足の裏とを同時に押圧し按摩することができ、機構は簡単化になり、製造コストは低減になる按摩装置を提供する。【解決手段】台座１０には、モータ１１と、ギアボックス１２と、二つの按摩手段組２０とが組付けてあり、それぞれ連動して前記二つの按摩手段組２０は人体の脛と足の裏を按摩する。前記按摩手段組２０にはシャフト２１、前記ギアボックス１２、及び同じ方向へ回転するプリー３１がそれぞれ連動するように設けてあり、更に前記二つのプリー３１にはベルト３２が架け渡してあり、前記モータ１１によってギアボックス１２を駆動した後、前記ギアボックス１２が前記按摩手段組２０のうちの一つを駆動し、駆動される前記按摩手段組２０がプリー３１によってベルト３２を駆動し、前記ベルト３２が他の按摩手段組２０のプリー３１を駆動する。【選択図】図２
2006326295.tif 000002
【特許請求の範囲】
【請求項１】
台座には、モータと、ギアボックスと、二つの按摩手段組とが組付けてあり、前記モータにより前記ギアボックスが駆動され、前記ギアボックスの出力軸により前記按摩手段組が作動され、前記二つの按摩手段組は、人体の脛と足の裏をそれぞれ按摩し、前記按摩手段組にはシャフトが設けてあり、前記ギアボックスによって前記シャフトが回転され、
前記二つの按摩手段組のシャフトには同じ方向へ回転するプリーがそれぞれ設けてあり、前記二つのプリーにはベルトが架け渡してあり、前記モータによってギアボックスを駆動した後、前記ギアボックスが前記按摩手段組のうちの一つを駆動し、駆動される前記按摩手段組がプリーによってベルトを駆動し、なお、前記ベルトが他の按摩手段組のプリーを駆動し、前記二つの按摩手段組は、人体の脛と足の裏をそれぞれ押圧し按摩することを特徴とする、按摩装置。
【請求項２】
前記各按摩手段組のシャフトの間には固定板が組付けてあり、前記固定板には枢転可能な遊び車が組付けてあり、前記遊び車が前記ベルトの一側に押付けることを特徴とする、請求項１に記載の按摩装置。
【発明の詳細な説明】
【技術分野】
【０００１】
本発明は、按摩装置に係り、特に、人体の脛と足の裏とを同時に按摩できる按摩装置に関するものである。
【背景技術】
【０００２】
目下、人体の脛と足の裏とを同時に按摩できる按摩装置の種類は極めて多く、例えば図１に示すのは日本特許ＷＯ2005/023169Ａ1であって、その作動原理は、主に、一つのモータで二つのギアボックスを同時に駆動し、各ギアボックスが一つの按摩手段組をそれぞれ作動し、なお、前記二つの按摩手段組が人体の脛と足の裏をそれぞれ押圧し按摩する。
【０００３】
上記按摩装置は、モータのシャフトの両端がそれぞれ二つのギアボックスを同時に駆動し、前記各ギアボックスが一つの按摩手段組をそれぞれ作動するので、前記モータは前記ギアボックスを駆動するためのより長いシャフトを有することが必要になり、そうすると、このようなモータの価格は高くなり、生産コストは増加する。
【０００４】
一方、上記按摩装置は、一つのモータに駆動される二つのギアボックスを設けることが必要であり、前記二つのギアボックスにより、人体の脛と足の裏をそれぞれ押圧し按摩する按摩手段組が作動されるが、前記ギアボックスが二つ必要であるので、生産コストは増加する。
【０００５】
また、モータとギアボックスの組付作業は、精密度が極めて厳しいので、工数がかなり掛かり、だから、生産効率は高くない。
【発明の開示】
【発明が解決しようとする課題】
【０００６】
本発明の主な目的は、安いベルト及びプリーを採用することによって、人体の脛と足の裏とを同時に押圧し按摩できる按摩手段組をそれぞれ作動し、これにより、機構が簡単化になり、製造コストが低減になる按摩装置を提供する。
【課題を解決するための手段】
【０００７】
上記目的を達成するためになされた本願の発明は、台座には、モータと、ギアボックスと、二つの按摩手段組とが組付けてあり、前記モータにより前記ギアボックスが駆動され、前記ギアボックスの出力軸により前記按摩手段組が作動され、前記二つの按摩手段組は、人体の脛と足の裏をそれぞれ按摩し、前記按摩手段組にはシャフトが設けてあり、前記ギアボックスによって前記シャフトが回転され、前記二つの按摩手段組のシャフトには同じ方向へ回転するプリーがそれぞれ設けてあり、前記二つのプリーにはベルトが架け渡してあり、前記モータによってギアボックスを駆動した後、前記ギアボックスが前記按摩手段組のうちの一つを駆動し、駆動される前記按摩手段組がプリーによってベルトを駆動し、なお、前記ベルトが他の按摩手段組のプリーを駆動し、前記二つの按摩手段組は、人体の脛と足の裏をそれぞれ押圧し按摩することを特徴とする按摩装置であることを要旨としている。
【０００８】
本願の発明では、前記各按摩手段組のシャフトの間には固定板が組付けてあり、前記固定板には枢転可能な遊び車が組付けてあり、前記遊び車が前記ベルトの一側に押付けることを特徴とする請求項１に記載の按摩装置であることを要旨としている。
【発明の効果】
【０００９】
本発明に係る按摩装置によれば、価格が安いベルト及びプリーを採用することによって、人体の脛と足の裏とを同時に押圧し按摩できる按摩手段組をそれぞれ作動し、これにより、機構が簡単化になり、製造コストが低減になる。
【発明を実施するための最良の形態】
【００１０】
以下、添付図面を参照して本発明の好適な実施の形態を詳細に説明する。
【００１１】
まず、図２と図３を参照する。本発明に係る按摩装置は、一つの台座１０には、一つのモータ１１と、一つのギアボックス１２と、二つの按摩手段組２０と、二つのプリー３１と、一つのベルト３２と、一つの固定板４１と、一つの遊び車４２とから構成される。
【００１２】
前記モータ１１が前記ギアボックス１２に組み付けられ、前記ギアボックス１２が前記台座１０に組み付けられ、前記ギアボックス１２がモータ１１に駆動されてディフアレンシャルで回転する。
【００１３】
前記按摩手段組２０は、前記台座１０に組み付けられ、一つのシャフト２１と、四つの揺動板２２とから構成され、前記揺動板２２が人体の脛と足の裏とに対応し、前記按摩手段組２０のうちの一つが前記ギアボックス１２に駆動される（ここで、足の裏を按摩する按摩手段組２０を例にして説明し）。
【００１４】
前記プリー３１は、前記按摩手段組２０のシャフト２１に組み付けられ、シャフト２１と同じ方向へ回転する。
【００１５】
前記ベルト３２は、前記二つのプリー３１に架け渡され、前記二つのプリー３１と噛み合う。
【００１６】
前記固定板４１は、前記二つの按摩手段組２０のシャフト２１の間に組み付けられ、前記プリー３１とベルト３２の一側に位置する。
【００１７】
前記遊び車４２は、前記固定板４１の一側に枢着され、前記ベルト３２の一側に押圧する。
【００１８】
次に、本発明の作動方式と効果を詳細に説明する。図２と図３に示すように、本発明では、各按摩手段組２０のシャフト２１にプリー３１がそれぞれ設けてあり、二つのプリー３１の間にはベルト３２が架け渡してあり、モータ１１によってギアボックス１２をディフアレンシャルに回転した後、前記ギアボックス１２が前記按摩手段組２０のうちの一つのシャフト２１を回転し（ここで、足の裏を按摩する按摩手段組２０を例にして説明し）、なお、前記シャフト２１のプリー３１がベルト３２と噛み合い、前記ベルト３２が他の按摩手段組２０に設けたプリー３１（すなわち、脛を按摩する按摩手段組２０）を回転し、そうすると、前記二つの按摩手段組２０のシャフト２１が同時に回転になり、これにより、揺動板２２が駆動され人体の脛と足の裏とを同時に押圧し按摩できる。
【００１９】
だから、本発明では、価格が安いベルト３２とプリー３１を採用し、前記ベルト３２とプリー３１によって按摩装置の二つの按摩手段組２０を作動し、人体の脛と足の裏とを同時に押圧し按摩するので、機構が簡単化になり、製造コストは低減になり、また、ベルト３２がプリー３１と噛み合って一緒に回転する際に、ベルト３２がゴム材料で作製されたものであるので、回転中の振動が吸収され、だから、本発明によれば、騒音低減の効果もある。また、本発明は、ベルト３２とプリー３１の機構を採用し、その組付作業の精度と精確度が厳しく要求されないので、製品の信頼性が高くなり、組付作業は容易になる。
【００２０】
また、本発明は、固定板４１に枢着された遊び車４２をベルト３２の一側に押圧することにより、長期間に使用されたベルト３２の弛緩（すなわち、ベルト３２の全長が長くなり）を補償するので、プリー３１の間の距離を頻繁に調整することは必要なくなる。
【００２１】
また、図２に示すように、按摩手段組２０にある揺動板２２がシャフト２１とある角度を成すので、シャフト２１によって揺動板２２を作動するときに、揺動板２２が波状に作動しながら、ある角度に旋回するので、按摩効果が良くなり、且つ各揺動板２２には運転中で重複に膨張/縮小可能な按摩バッグ２３が設けてあり、各ユーザーの必要によって脛と足の裏とに対する押圧力の大きさを調整できるので、手工按摩に近似する按摩効果を達成することができる。
【００２２】
図４は本発明に係る按摩装置を単独に使用する状態を示す概略図である。
【００２３】
図５は本発明に係る按摩装置を按摩用椅子５０に合せて使用する状態を示す概略図であり、按摩装置が按摩用椅子５０の正面に置かれた。
【００２４】
図６は本発明に係る按摩装置の角度を調整した使用状態を示す概略図である。本発明に係る按摩装置の底部には支持ロッド６１が組付けてあるので、ユーザーの必要によって一定の角度範囲内に調整可能であり、脛に近接する太ももと、足首とに同時に押圧し按摩することができる。
【図面の簡単な説明】
【００２５】
【図１】脛と足の裏とを同時に按摩可能な従来の按摩装置を示す概略図である。
【図２】本発明の組合状態を示す概略図である。
【図３】本発明の一部の作動状態を示す断面図である。
【図４】本発明を単独に使用する状態を示す概略図である。
【図５】本発明を按摩用椅子に合せて使用する状態を示す概略図である。
【図６】本発明の角度を調整した使用状態を示す概略図である。
【符号の説明】
【００２６】
１０      台座                      １１      モータ
１２      ギアボックス              ２０      按摩手段組
２１      シャフト                  ２２      揺動板
２３      按摩用エアーバッグ        ３１      プリー
３２      ベルト                    ４１      固定板
４２      遊び車                    ５０      按摩用椅子
６１      支持ロッド
【図１】
2006326295.tif 000003
【図２】
2006326295.tif 000004
【図３】
2006326295.tif 000005
【図４】
2006326295.tif 000006
【図５】
2006326295.tif 000007
【図６】
2006326295.tif 000008